(57)【要約】  本発明の実施例は、制御チャネルの伝送方法、装置及び通信システムを提供する。前記通信システムは、端末装置及び基地局を含み、前記基地局は、制御チャネルのリソース上で前記制御チャネルを送信し、また端末装置に前記制御チャネルのリソースを指示するように構成され、前記端末装置は、制御チャネルのリソースを確定し、また確定した前記制御チャネルのリソース上で前記制御チャネルを検出するように構成される。本発明の実施例により、狭帯域ユーザは、広帯域キャリア上で有効にワーキングすることができる。
2017535222.tif 000002
【特許請求の範囲】
【請求項１】
端末装置に応用される制御チャネルの受信装置であって、
前記制御チャネルのリソースを確定するための確定ユニット；及び
前記確定ユニットが確定した前記制御チャネルのリソース上で、前記制御チャネルを検出するための検出ユニットを含む、装置。
【請求項２】
請求項1に記載の装置であって、
前記確定ユニットは、物理ブロードキャストチャネルに含まれる情報に基づいて前記制御チャネルのリソースを確定し、前記物理ブロードキャストチャネルに含まれる情報は、前記制御チャネルによりスケジューリングされるデータチャネルの再送回数を含む、装置。
【請求項３】
請求項1に記載の装置であって、
前記確定ユニットは、前記端末装置が基地局と予め約束した、前記制御チャネルを送信するための固定したサブフレーム及び／又は固定した物理リソースブロックペアに基づいて、前記制御チャネルのリソースを確定する、装置。
【請求項４】
請求項1に記載の装置であって、
前記検出ユニットは、共通サーチスペースの制御チャネル及びユーザ固有サーチスペースの制御チャネルを検出するために用いられ、前記共通サーチスペースの制御チャネル及び前記ユーザ固有サーチスペースの制御チャネルは、時間領域上で別々に送信される、装置。
【請求項５】
請求項1に記載の装置であって、
前記確定ユニットは、
前記端末装置が同期信号及び物理ブロードキャストチャネルを検出した後に、前記端末装置が基地局と予め約束した、前記制御チャネルを送信するための固定したサブフレーム及び／又は固定した物理リソースブロックペアに基づいて、前記制御チャネルのリソースを確定するための第一確定ユニットを含む、装置。
【請求項６】
請求項5に記載の装置であって、
前記物理ブロードキャストチャネルには、前記制御チャネルの伝送方式及び／又はリソース分割の指示情報が含まれる、装置。
【請求項７】
請求項1に記載の装置であって、
前記確定ユニットは、
前記端末装置が同期信号及び物理ブロードキャストチャネルを検出した後に、前記物理ブロードキャストチャネルに含まれる情報に基づいて、前記制御チャネルのリソースを確定するための第二確定ユニットを含む、装置。
【請求項８】
請求項7に記載の装置であって、
前記物理ブロードキャストチャネルに含まれる情報は、前記制御チャネルのリソース構成情報；及び／又は前記制御チャネルの再送回数；及び／又は前記制御チャネルによりスケジューリングされるデータチャネルの再送回数；及び／又は前記制御チャネルのリソースの時間領域及び周波数領域上での位置；及び／又は前記制御チャネルのリソースの伝送起点位置及び再送回数；及び／又は前記制御チャネルのリソースの周波数領域位置及び再送回数を含む、装置。
【請求項９】
請求項8に記載の装置であって、
前記検出ユニットは、さらに、前記制御チャネルの再送回数に基づいて前記制御チャネルを検出して受信し；及び／又は前記データチャネルの再送回数に基づいて前記データチャネルを検出して受信する、装置。
【請求項１０】
請求項1に記載の装置であって、
前記確定ユニットは、
前記端末装置においてランダムアクセス過程で基地局から前記制御チャネルのリソース指示情報を得るための取得ユニット；及び
前記リソース指示情報に基づいて前記制御チャネルのリソースを確定するための第三確定ユニットを含み、
前記リソース指示情報は、前記制御チャネルのリソース及び／又は前記制御チャネルの伝送方式を含む、装置。
【請求項１１】
請求項1に記載の装置であって、
共通サーチスペースの制御チャネルのリソース及びユーザ固有サーチスペースの制御チャネルのリソースは、時間領域上で別々である、装置。
【請求項１２】
基地局に応用される制御チャネルの伝送装置であって、
前記制御チャネルのリソース上で前記制御チャネルを送信するための第一送信ユニット；及び
端末装置に前記制御チャネルのリソースを指示し、前記端末装置が前記制御チャネルのリソース上で前記制御チャネルを検出するようにさせるための指示ユニットを含む、装置。
【請求項１３】
請求項12に記載の装置であって、
前記指示ユニットは、
前記基地局と端末装置との約束に基づいて、前記端末装置に前記制御チャネルのリソースを指示するための第一指示ユニットを含む、装置。
【請求項１４】
請求項13に記載の装置であって、
前記制御チャネルの伝送方式及び／又はリソース分割の指示情報を物理ブロードキャストチャネルにより送信するための第二送信ユニットをさらに含む、装置。
【請求項１５】
請求項12に記載の装置であって、
前記指示ユニットは、
物理ブロードキャストチャネルに含まれる情報により、前記制御チャネルのリソースを指示するための第二指示ユニットを含む、装置。
【請求項１６】
請求項15に記載の装置であって、
前記物理ブロードキャストチャネルに含まれる情報は、前記制御チャネルのリソース構成情報；及び／又は前記制御チャネルの再送回数；及び／又は前記制御チャネルによりスケジューリングされるデータチャネルの再送回数；及び／又は前記制御チャネルのリソースの時間領域及び周波数領域上での位置；及び／又は前記制御チャネルのリソースの伝送起点位置及び再送回数；及び／又は前記制御チャネルのリソースの周波数領域位置及び再送回数を含む、装置。
【請求項１７】
請求項16に記載の装置であって、
前記第一送信ユニットは、クロスサブフレームスケジューリング及びシングルサブフレームスケジューリングを用いて前記制御チャネル及び／又は前記データチャネルに対して複数回再送を行う、装置。
【請求項１８】
請求項12に記載の装置であって、
前記指示ユニットは、
ランダムアクセス過程におけるメッセージに含まれるリソース指示情報により、前記端末装置に前記制御チャネルのリソースを指示するための第三指示ユニットであって、前記リソース指示情報は、前記制御チャネルのリソース及び／又は前記制御チャネルの伝送方式を含む、第三指示ユニットを含む、装置。
【請求項１９】
請求項12に記載の装置であって、
共通サーチスペースの制御チャネルのリソース及びユーザ固有サーチスペースの制御チャネルのリソースは、時間領域上で別々である、装置。
【請求項２０】
端末装置及び基地局を含む通信システムであって、
前記基地局は、制御チャネルのリソース上で前記制御チャネルを送信し、また、前記端末装置に前記制御チャネルのリソースを指示するように構成され、
前記端末装置は、前記制御チャネルのリソースを確定し、また、確定した前記制御チャネルのリソース上で前記制御チャネルを検出するように構成される、システム。
【請求項２１】
請求項20に記載のシステムであって、
前記基地局は、クロスサブフレームスケジューリング及びシングルサブフレームスケジューリングを用いて、前記制御チャネル、及び／又は前記制御チャネルによりスケジューリングされるデータチャネルに対して複数回再送を行うように構成される、システム。
【請求項２２】
請求項20に記載のシステムであって、
前記端末装置は、前記基地局と約束した、前記制御チャネルを送信するためのリソースに基づいて前記制御チャネルのリソースを確定し、又は物理ブロードキャストチャネルに含まれる情報に基づいて前記制御チャネルのリソースを確定し、又はランダムアクセス過程におけるメッセージに含まれる情報に基づいて前記制御チャネルのリソースを確定するように構成される、システム。
【請求項２３】
請求項20に記載のシステムであって、
共通サーチスペースの制御チャネルのリソース及びユーザ固有サーチスペースの制御チャネルのリソースは、時間領域上で別々である、システム。
【発明の詳細な説明】
【技術分野】
【０００１】
本発明は、通信分野に関し、特に、制御チャネルの伝送方法、装置及び通信システムに関する。
【背景技術】
【０００２】
MTC（Machine  Type  Communication）は、オペレーターの収入及びサービスにとってとても重要な技術の１つであり、低コストの大量の固定端末を用いて、機器間の自主的通信により、各種の応用サービス、例えば、水道メーター、電気メーター、ガスメーターなどの表示データ報告、安全監視及び公共安全などを提供することができる。
【０００３】
セルラーネットワークシステムが提供する応用及びサービスの増加に伴い、ユーザ数及びセルラー通信モジュールを有する端末数も増加し、MTCユーザ数と各種メーター及び監視システムとが密接することは、代表的な例である。システムの全てのリソースは、サービス提供にとって極めて重要になり、割り当て効率を低下させる可能性がある。
【０００４】
MTC端末の重要な特徴の１つは、外部との隔離度が比較的大きい室内、例えば、地下室などに設置される可能性があり、これにより、MTC端末から基地局までの無線リンクのパスロスが比較的大きくなる。パスロスの増大により、ユーザのカバレッジ複雑性及び信号受信パフォーマンスが増加するようになる。よって、MTC端末の低コストを保つ前提で、各上りリンクチャネル及び下りリンクチャネルのカバレッジパフォーマンスを保証することは、解決すべき問題の１つである。
【０００５】
今のところ、通常、複数回の重複送信を用いてエネルギーの累積利得を取得し、伝送の正確率を増大させる。しかし、コスト低減のために、MTC端末は、狭帯域RFモジュールのみが設けられる可能性があるため、例えば、1.4MHzバンド幅の無線信号のみを送受信することができる。よって、従来の（Rel.8-12）LTE（Long  Term  Evolution）システム下での物理層制御チャネルは、1.4MHzを超えたキャリア上でMTC端末にサービスを提供することができず、或いは、言い換えると、これらの狭帯域MTC端末は、受信であれ、送信であれ、広帯域キャリア上でワーキングすることができない。
【０００６】
なお、上述の背景技術の紹介は、本発明の技術案を明確且つ完全に説明し、当業者がそれを理解し得るためだけのものである。これらの案は本発明の背景技術の一部に記述されているため、当業者に周知であると解釈されてはいけない。
【発明の概要】
【発明が解決しようとする課題】
【０００７】
上述の背景技術における問題を解決するために、本発明の実施例は、制御チャネルの伝送方法、装置及び通信システムを提供し、これにより、狭帯域ユーザは、広帯域キャリア上で有効にワーキングすることができる。
【課題を解決するための手段】
【０００８】
本発明の実施例の第一側面によれば、制御チャネルの受信方法が提供され、そのうち、前記方法は、
端末装置が制御チャネルのリソースを確定し；及び
前記端末装置が、確定した前記制御チャネルのリソース上で前記制御チャネルを検出することを含む。
【０００９】
本発明の実施例の第二側面によれば、制御チャネルの伝送方法が提供され、そのうち、前記方法は、
基地局が制御チャネルのリソース上で前記制御チャネルを送信し；及び
前記基地局が端末装置に前記制御チャネルのリソースを指示し、これにより、前記端末装置は、前記制御チャネルのリソース上で前記制御チャネルを検出することを含む。
【００１０】
本発明の実施例の第三側面によれば、制御チャネルの受信装置が提供され、該装置は、端末装置に応用され、そのうち、前記装置は、
確定ユニットであって、制御チャネルのリソースを確定するためのもの；及び
検出ユニットであって、前記確定ユニットが確定した前記制御チャネルのリソース上で前記制御チャネルを検出するためのものを含む。
【００１１】
本発明の実施例の第四側面によれば、制御チャネルの伝送装置が提供され、該装置は、基地局に応用され、そのうち、前記装置は、
第一送信ユニットであって、制御チャネルのリソース上で前記制御チャネルを送信するためのもの；及び
指示ユニットであって、端末装置に前記制御チャネルのリソースを指示し、これにより、前記端末装置が前記制御チャネルのリソース上で前記制御チャネルを検出するようにさせるものを含む。
【００１２】
本発明の実施例の第五側面によれば、端末装置が提供され、前記端末装置は、前述の第三側面に記載の制御チャネルの受信装置を含む。
【００１３】
本発明の実施例の第六側面によれば、基地局が提供され、前記基地局は、前述の第四側面に記載の制御チャネルの伝送装置を含む。
【００１４】
本発明の実施例の第七側面によれば、通信システムが提供され、そのうち、前記通信システムは、端末装置及び基地局を含み、そのうち、
前記基地局は、制御チャネルのリソース上で前記制御チャネルを送信し、また、端末装置に前記制御チャネルのリソースを指示するように構成され、
前記端末装置は、制御チャネルのリソースを確定し、また、確定した前記制御チャネルのリソース上で前記制御チャネルを検出するように構成される。
【００１５】
本発明の実施例の他の側面によれば、コンピュータ可読プログラムが提供され、そのうち、制御チャネルの受信装置又は端末装置中で前記プログラムを実行する時に、前記プログラムは、コンピュータに、前記制御チャネルの受信装置又は端末装置中で前述の第一側面に記載の制御チャネルの受信方法を実行させる。
【００１６】
本発明の実施例の他の側面によれば、コンピュータ可読プログラムを記憶した記憶媒体が提供され、そのうち、前記コンピュータ可読プログラムは、コンピュータに、制御チャネルの受信装置又は端末装置中で前述の第一側面に記載の制御チャネルの受信方法を実行させる。
【００１７】
本発明の実施例の他の側面によれば、コンピュータ可読プログラムが提供され、そのうち、制御チャネルの伝送装置又は基地局中で前記プログラムを実行する時に、前記プログラムは、コンピュータに、前記制御チャネルの伝送装置又は基地局中で前述の第二側面に記載の制御チャネルの伝送方法を実行させる。
【００１８】
本発明の実施例の他の側面によれば、コンピュータ可読プログラムを記憶した記憶媒体が提供され、そのうち、前記コンピュータ可読プログラムは、コンピュータに、制御チャネルの伝送装置又は基地局中で前述の第二側面に記載の制御チャネルの伝送方法を実行させる。
【００１９】
本発明の実施例の有益な効果は、本発明の実施例の方法、装置及びシステムにより、狭帯域ユーザは広帯域キャリア上で有効にワーキングし得ることにある。
【００２０】
後述の説明及び図面に基づき、本発明の特定の実施形態を詳細に開示し、本発明の原理が採用され得る形態を明確にする。なお、本発明の実施形態は、範囲上でそれによって限定されない。添付した特許請求の範囲の精神及び技術の範囲では、本発明の実施形態は、あらゆる変形、変更に及び代替によるものをも含む。
【００２１】
１つの実施形態について説明した及び／又は示した特徴は、同じ又は類似した方式で、１つ又は複数の他の実施形態に使用し、他の実施形態における特徴と組み合わせ、又は、他の実施形態における特徴を置換することができる。
【００２２】
なお、「包括／含む」のような用語は、本文に使用する時に、特徴、装置全体、ステップ又はアセンブリの存在を指すが、１つ又は複数の他の特徴、装置全体、ステップ又はアセンブリの存在又は付加を排除しないことも指す。
【図面の簡単な説明】
【００２３】
含まれている図面は、本発明の実施例への更なる理解を提供するために用いられ、これらの図面は、本明細書の一部を構成しており、本発明の実施形態を例示し、また、文字記載とともに本発明の原理を説明するために用いられる。また、明らかのように、以下に記載されている図面は、本発明の幾つかの実施例を示すためのものに過ぎず、当業者は、創造性のある労働をせずに、これらの図面に基づいて他の図面を得ることもできる。
【図１】本発明の実施例における１つの実施方式に係る制御チャネルの受信方法のフローチャートである。
【図２】本実施例のリソース分割を示す図である。
【図３】本発明の実施例における他の実施方式に係る制御チャネルの伝送方法のフローチャートである。
【図４】制御チャネルに対しての再送操作を示す図である。
【図５】本発明の実施例における１つの実施方式に係る制御チャネルの受信装置の構成図である。
【図６】本発明の実施例における他の実施方式に係る制御チャネルの伝送装置の構成図である。
【図７】本発明の実施例における端末装置の１つの実施方式の構成図である。
【図８】本発明の実施例における基地局の１つの実施方式の構成図である。
【図９】本発明の実施例における通信システムの構成図である。
【発明を実施するための形態】
【００２４】
添付した図面及び本明細書によって、本発明の実施例における前述及び他の特徴はより明確になる。なお、明細書及び図面では、本発明の特定の実施形態が具体的に開示されているが、それは、本発明の原理を採用し得る一部のみの実施形態である。また、理解すべきは、本発明は、記載されている実施形態に限定されず、添付した特許請求の範囲に属する全ての変更、変形及び代替によるものも含む。以下、添付した図面を参照しながら、本発明の各種の実施方式について説明する。なお、これらの実施方式は、例示に過ぎず、本発明を限定するものでない。
【００２５】
バッファのサイズ及びベースバンドの処理負荷を低減するために、共通サーチスペース（common  search  space）の物理層制御チャネルによりスケジューリングされるブロードキャストチャネル及びユーザ固有サーチスペース（UE-specific  search  space）の物理層制御チャネルによりスケジューリングされるユニキャストチャネルは、同一サブフレーム内で伝送される必要がない。よって、両者は、同一サブフレームにおいて、あるユーザについて言えば、同時に受信する必要がない。
【００２６】
共通サーチスペースの制御チャネルのCRC（Cyclic  Redundancy  Check）は、P-RNTI（Paging  RNTI、ページング無線ネットワーク一時識別子）、SI-RNTI（システム情報無線ネットワーク一時識別子）、RA-RNTI（ランダムアクセス無線ネットワーク一時識別子）によりスクランブル（scramble）することができ、ユーザをページングし、又は、システムメッセージをブロードキャストし、又は、ランダムアクセスレスポンスを伝送するために用いられる。
【００２７】
ユーザ固有サーチスペースの制御チャネルのCRCは、C-RNTI（セル無線ネットワーク一時識別子）、SPS  C-RNTI（半静的スケジューリングセル無線ネットワーク一時識別子）、TPC-PUCCH-RNTI（送信パワー制御物理上りリンク制御チャネル無線ネットワーク一時識別子）、TPC-PUSCH-RNTI（送信パワー制御物理上りリンク共有チャネル無線ネットワーク一時識別子）、Temporary  C-RNTI（一時セル無線ネットワーク一時識別子）によりスクランブルすることができる。
【００２８】
従来の制御チャネルのサーチスペースがすべて全バンド幅を占用するので、狭帯域MTC端末について、該サーチスペースは、使用不可である。よって、上述のサーチスペース中の制御チャネルは、リソース割り当てを再び行う必要がある。また、MTC端末の消費電力の低減のために、受信端の制御チャネルのブラインド検出回数を減らす必要もあり、或いは、幾つかのリソース上でのみ特定の制御チャネルのブラインド検出を行う必要がある。
【００２９】
以上の研究に基づいて、本発明の実施例は、制御チャネルの伝送方法、装置及び通信システムを提供し、これにより、狭帯域ユーザは、広帯域キャリア上で有効にワーキングすることができる。以下、添付した図面をもとに本実施例における方法、装置及びシステムについて詳細に説明する。
【実施例１】
【００３０】
本発明の実施例は、制御チャネルの受信方法を提供する。図1は、該方法のフローチャートである。図1に示すように、該方法は、次のようなステップを含む。
【００３１】
ステップ101：端末装置が制御チャネルのリソースを確定し；
ステップ102：前記端末装置は、確定した前記制御チャネルのリソース上で前記制御チャネルを検出する。
【００３２】
ステップ101では、制御チャネルとは、共通サーチスペースの制御チャネル及び／又はユーザ固有サーチスペースの制御チャネルを指し、即ち、端末装置は、ステップ101で共通サーチスペースの制御チャネルのリソースを確定することができ、ユーザ固有サーチスペースの制御チャネルのリソースを確定することもでき、或いは、共通サーチスペースの制御チャネルのリソース及びユーザ固有サーチスペースの制御チャネルのリソースを同時に確定することができる。そのうち、端末装置は、狭帯域ユーザであっても良く、MTCユーザであっても良い。
【００３３】
ステップ101の１つの実施方式では、端末装置及び基地局は、予め、制御チャネルのリソースを約束しており、例えば、端末装置及び基地局は、予め、制御チャネルがどの固定したサブフレーム及び／又は固定した物理リソースブロックペアにて伝送するか、基地局がこれらのリソース上で制御チャネルを送信することができ、また、端末装置がこれらのリソース上で制御チャネルをブラインド検出又は復調することができることを約束している。端末装置は、該約束に基づいて該制御チャネルのリソースを確定することができる。
【００３４】
本実施方式では、端末装置は、同期信号及び物理ブロードキャストチャネルを復調した後に、一部の予め約束したリソース上でのみ制御チャネルの復調を行う。また、ネットワークにアクセスした後に、ユーザ固有サーチスペースに対応するサブフレームにて、ユニキャストトラフィックの制御チャネルの復調を行い、共通サーチスペースに対応するサブフレームにて、ブロードキャストトラフィックの制御チャネルの復調を行う。これにより、いずれか１つのサブフレームにて、ユーザがブラインド検出を行う制御チャネルの数は、前のリリースに係るユーザに比べ、少なくなるため、ユーザ複雑度及び消費電力を低減する目的を達成することができる。
【００３５】
本実施方式では、同期信号は、プライマリ同期信号（PSS、Primary  Synchronization  Signal）であっても良く、セカンダリー同期信号（SSS、Secondary  Synchronization  Signal）であっても良く、或いは、両者を有しても良く、物理ブロードキャストチャネルは、従来の物理ブロードキャストチャネル（PBCH、Physical  Broadcast  CHannel）であっても良く、MTCユーザについての物理ブロードキャストチャネル（MTC-PBCH）であっても良い。
【００３６】
本実施方式では、柔軟性の向上のために、上述の物理ブロードキャストチャネルには、上述の制御チャネルの伝送方式及び／又はリソース分割の指示情報が含まれても良い。ここでの伝送方式は、制御チャネルの複数回の再送を行うか、再送回数などを含んでも良い。そのうち、再送により、一部のカバレッジが制限される（即ち、カバレッジ制限の）ユーザの制御チャネルの正確な受信の確率を上げることができる。ここでのリソース分割は、時間領域リソース、周波数領域リソース、連続して伝送するか、又はリソースを連続して割り当てるかなどを含んでも良い。
【００３７】
本実施方式では、上述の制御チャネルのリソースの他に、基地局及び端末装置は、さらに、予め、該制御チャネルによりスケジューリングされるデータチャネルのリソースを約束することもでき、これにより、端末装置がデータチャネルを復調する複雑度を低減し、復調遅延（latency）を減少させることができる。
【００３８】
本実施方式の方法により、端末装置は、同期信号検出後に物理ブロードキャストチャネルを検出し、それから、共通サーチスペースで制御チャネルを復調することで、システム情報を取得し、対応するネットワークにアクセスし、これにより、狭帯域ユーザは、広帯域キャリア上で有効にワーキングすることができ、さらに、受信による消費電力を節約することができる。
【００３９】
ステップ101の他の実施方式では、前の実施方式との相違点は、制御チャネルのリソースは、予め約束されているものでなく、基地局が物理ブロードキャストチャネルにより指示したものであることにある。本実施方式では、端末装置は、同期信号検出後に、これによって物理ブロードキャストチャネルを復調し、また、その中から制御チャネルに関する情報を読み出し、該物理ブロードキャストチャネルに含まれている該情報に基づいて、上述の制御チャネルのリソースを確定することができる。
【００４０】
本実施方式では、物理ブロードキャストチャネルには、上述の制御チャネルのリソース構成情報及び／又は上述の制御チャネルの再送回数及び／又は上述の制御チャネルによりスケジューリングされるデータチャネルの再送回数が含まれても良い。上述のリソース構成情報に基づいて、端末装置は、制御チャネルのリソースを確定することができる。上述の再送回数に基づいて、端末装置は、上述の制御チャネル及び／又は該制御チャネルによりスケジューリングされるデータチャネルが何回再送されたかを確定することができ、該再送回数は、物理ブロードキャストチャネル中の予備（reserved）の10ビットのうちの１つ又は複数のビットにより指示されても良く、例えば、従来の物理ブロードキャストチャネルに1ビットの指示情報を追加することで、共通サーチスペースの制御チャネルの再送回数及び／又はそれによりスケジューリングされるデータチャネルの再送回数を、表1に示すように指示しても良く、また、例えば、従来の物理ブロードキャストチャネルに2ビットの指示情報を追加することで、共通サーチスペースの制御チャネルの再送回数及び／又はそれによりスケジューリングされるデータチャネルの再送回数を、表2に示すように指示しても良い。
【表１】
2017535222.tif 000003
【表２】
2017535222.tif 000004
【００４１】
これにより、端末装置は、該制御チャネルの再送回数に基づいて、それ相応の回数だけ、上述の制御チャネルを検出して受信し、及び／又は、該データチャネルの再送回数に基づいて、それ相応の回数だけ、上述のデータチャネルを検出して受信し、これにより、エネルギーの累積を実現し、復調の正確率を向上させ、遅延を低減することができる。
【００４２】
本実施方式では、狭帯域ユーザが広帯域キャリア及びネットワーク側の配置に適応するようにさせるために、上述の制御チャネルのリソース構成情報は、上述の制御チャネルのリソース分割方式、例えば、時間領域上で連続又は非連続的であり、周波数領域上で共通サーチスペースの制御チャネルのリソース及びユーザ固有サーチスペースの制御チャネルのリソースが同じであり又は重畳（overlap）するというような方式を含んでも良い。そのうち、該リソース構成情報は、表3及び図2に示すように、ビットにより指示されても良い。
【表３】
2017535222.tif 000005
【００４３】
そのうち、指示ビット“00”は、図2中の（a）のリソース分割方式に対応し、指示ビット“01”は、図2中の（b）のリソース分割方式に対応し、指示ビット“10”は、図2中の（c）のリソース分割方式に対応し、指示ビット“11”は、図2中の（d）のリソース分割方式に対応する。
【００４４】
本実施方式では、上述の構成方式は、例示に過ぎず、オプションとして、該物理ブロードキャストチャネルには、上述の制御チャネルのリソースの伝送起点位置及び再送回数を指示する情報、及び／又は、上述の制御チャネルのリソースの周波数領域位置及び再送回数を指示する情報を含んでも良く、或いは、上述の情報の任意の組み合わせを含んでも良い。また、該物理ブロードキャストチャネルに含まれる情報は、同時に他の目的のために用いられても良く、本実施例は、これに限定されない。
【００４５】
本実施方式では、上述の制御チャネルのリソースの他に、該物理ブロードキャストチャネルは、さらに、該制御チャネルによりスケジューリングされるデータチャネルのリソースを指示しても良く、これにより、端末装置がデータチャネルを復調する複雑度を低減し、復調遅延を減少させることができる。
【００４６】
本実施方式では、物理ブロードキャストチャネル、制御チャネル、同期信号の意味は、前の実施方式と同じであるため、ここでは、詳しい説明を省略する。
【００４７】
本実施方式に係る方法により、物理ブロードキャストチャネルが制御チャネルのリソースを指示することで、狭帯域ユーザも広帯域キャリア上で有効にワーキングするようにさせることができ、また、受信による消費電力を節約することもできる。
【００４８】
ステップ101の他の実施方式では、狭帯域ユーザが広帯域キャリア及びネットワーク側の配置に適応するようにさせるために、基地局は、ランダムアクセス過程におけるメッセージにより、端末装置のために割り当てられた制御チャネルのリソースを指示しても良く、そのうち、基地局は、上述のメッセージにリソース指示情報を、端末装置に該端末装置のために割り当てられた制御チャネルのリソースを指示するように追加しても良く、これにより、端末装置は、ランダムアクセス過程で基地局から上述のリソース指示情報を取得し、また、該リソース指示情報に基づいて上述の制御チャネルのリソースを確定することができる。
【００４９】
そのうち、上述のランダムアクセス過程におけるメッセージは、RAR（random  access  response、ランダムアクセスレスポンス）メッセージであっても良く、Message  4メッセージであっても良い。端末装置がランダムアクセス過程でプリアンブルを送信した後に、基地局側では、復調成功の場合、RAR又はMessage  4において端末装置のために半静的制御チャネルの時間周波数領域リソースを割り当てることができ、その後、端末装置は、対応するリソース上で制御チャネルをブラインド検出及び復調することができる。
【００５０】
そのうち、Message  4は、競争（contention）解決ステップにあっても良く、ランダムアクセスの第四ステップ又はランダムアクセスの最後のステップにあっても良い。
【００５１】
そのうち、上述のリソース指示情報は、上述の制御チャネルのリソース及び／又は上述の制御チャネルの伝送方式を含んでも良い。そのうち、ここでの伝送方式は、該制御チャネルの再送回数を含んでも良く、さらに、他の情報を含んでも良い。また、再送回数の指示方式は、前の実施方式と同じであっても良く、異なっても良い。
【００５２】
本実施例では、共通サーチスペースの制御チャネルのリソース及びユーザ固有サーチスペースの制御チャネルのリソースは、時間領域上で別々になっても良いが、本実施例は、これに限定されない。
【００５３】
本実施例における方法により、狭帯域ユーザは、広帯域キャリア上で有効にワーキングすることができ、また、受信による消費電力の節約の目的を達成することもできる。また、低コストのMTC端末がcommon  search  spaceの制御チャネルによりスケジューリングされるブロードキャストデータ及びUE-specific  search  spaceの制御チャネルによりスケジューリングされるユニキャストデータを同時に受信することができないので、２つの部分のリソースに対してTDMA（time  division  multiple  access）を行うことで、UEの復調複雑度及び消費電力の低減に有利である。
【実施例２】
【００５４】
本発明の実施例は、さらに、制御チャネルの伝送方法を提供する。該方法は、実施例1の方法に対応する基地局側の処理であり、そのうち、実施例1と同じ内容の重複記載は、省略される。図3は、該方法のフローチャートである。図3に示すように、該方法は、次のようなステップを含む。
【００５５】
ステップ301：基地局が制御チャネルのリソース上で前記制御チャネルを送信し；
ステップ302：前記基地局が端末装置に前記制御チャネルのリソースを指示し、これにより、前記端末装置は、前記制御チャネルのリソース上で前記制御チャネルを検出する。
【００５６】
そのうち、実施例1の第１実施方式に対応して、基地局は、端末装置との約束に基づいて、前記端末装置に前記制御チャネルのリソースを指示することができる。また、該基地局は、さらに、該制御チャネルの伝送方式及び／又はリソース分割の指示情報を、物理ブロードキャストチャネルにより送信することで、柔軟性を向上させることもできる。
【００５７】
そのうち、実施例1の第二実施方式に対応して、基地局は、物理ブロードキャストチャネルにより、前記制御チャネルのリソースを指示することができる。そのうち、該物理ブロードキャストチャネルは、該制御チャネルのリソース構成情報及び／又は該制御チャネルの再送回数及び／又は該制御チャネルによりスケジューリングされるデータチャネルの再送回数を含んでも良い。これにより、端末装置は、該リソース構成情報に基づいて制御チャネルのリソースを確定し、該制御チャネルの再送回数に基づいて制御チャネルに対してそれ相応の回数の受信検出を行い、及び／又は、該データチャネルの再送回数に基づいてデータチャネルに対してそれ相応の回数の受信検出を行うことができる。
【００５８】
そのうち、制御チャネルに対して複数回の再送操作を行う時に、基地局は、クロスサブフレームスケジューリング及びシングルサブフレームスケジューリングを同時に使用することができ、これにより、カバレッジ制限（coverage-limited）及び非制限（non-coverage-limited）ユーザを同時に満足することができる。特に、共通のブロードキャストチャネルについて言えば、すべてのユーザが受信する必要があり、この場合、ユニキャストチャネルと同様に、各受信ユーザのチャネル状況又はカバレッジ状況に基づいて伝送回数を調整することができない。よって、両者を組み合わせることで、非干渉制限(non-interference-limited)ユーザのlatencyを減少させることができる（シングルサブフレームスケジューリングを使用する）とともに、干渉制限（interference-limited）ユーザを考慮して、クロスサブフレームスケジューリング及び重複伝送を使用することもできる。図4は、基地局がクロスサブフレームスケジューリング及びシングルサブフレームスケジューリングを同時に使用することを示す図である。
【００５９】
そのうち、基地局は、さらに、該物理ブロードキャストチャネルにより、上述の制御チャネルのリソース分割方式、例えば、時間領域上で分散するか連続的であるか、周波数領域上で同じであるか重畳するかなどを指示しても良い。オプションとして、該物理ブロードキャストチャネルは、さらに、上述の制御チャネルのリソースの伝送起点位置及び再送回数を指示しても良い。オプションとして、該物理ブロードキャストチャネルは、さらに、上述の制御チャネルのリソースの周波数領域位置及び再送回数を指示しても良い。
【００６０】
そのうち、実施例1の第三実施方式に対応して、基地局は、ランダムアクセス過程におけるメッセージにより、前記制御チャネルのリソースを指示することができる。例えば、RARメッセージ又はMessage  4メッセージである。オプションとして、上述のメッセージは、さらに、上述の制御チャネルの伝送方式、例えば、再送回数などを指示しても良い。
【００６１】
本実施例における方法により、狭帯域ユーザが広帯域キャリア上で有効にワーキングするようにさせることができ、また、受信による消費電力の低減の目的を達成することもできる。また、共通サーチスペースの制御チャネルのリソース及びユーザ固有サーチスペースの制御チャネルのリソースが時間領域上で別々になるため、UEの復調複雑度及び消費電力の低減に有利である。
【実施例３】
【００６２】
本発明の実施例は、制御チャネルの受信装置を提供し、該装置は、端末装置、例えばMTC端末又は他の狭帯域ユーザに応用することができる。該装置が問題を解決する原理は、実施例1の方法に類似したので、その具体的な実施は、実施例1の方法の実施を参照することができ、内容が同じ記載の重複説明は、省略される。
【００６３】
図5は、該装置の構成図である。図5に示すように、該制御チャネルの受信装置500は、確定ユニット501及び検出ユニット502を含む。
【００６４】
本実施例では、確定ユニット501は、制御チャネルのリソースを確定するために用いられる。ここでの制御チャネルは、共通サーチスペースの制御チャネルであっても良く、ユーザ固有サーチスペースの制御チャネルであっても良い。
【００６５】
本実施例では、検出ユニット502は、確定ユニット501が確定した制御チャネルのリソース上で該制御チャネルを検出するために用いられる。
【００６６】
１つの実施方式では、図5に示すように、確定ユニット501は、次のようなものを含んでも良い。
【００６７】
第一確定ユニット5011：前記端末装置が同期信号及び物理ブロードキャストチャネルを検出した後に、前記端末装置と基地局とが予め約束した、制御チャネルを送信するための固定したサブフレーム及び／又は固定した物理リソースブロックペアに基づいて、前記制御チャネルのリソースを確定する。
【００６８】
該実施方式では、制御チャネルのリソースは、端末装置及び基地局が予め約束したものであり、第一確定ユニット5011は、該約束に基づいて、該制御チャネルのリソースを直接確定することができ、これにより、検出ユニット502は、約束されたリソース上で該制御チャネルを直接検出することができる。
【００６９】
そのうち、該物理ブロードキャストチャネルには、上述の制御チャネルの伝送方式及び／又はリソース分割の指示情報を含んでも良い。前述のように、これにより、構成の柔軟性を向上させることができる。
【００７０】
他の実施方式では、図5に記載のように、確定ユニット501は、次のようなものを含んでも良い。
【００７１】
第二確定ユニット5012：前記端末装置が同期信号及び物理ブロードキャストチャネルを検出した後に、前記物理ブロードキャストチャネルに含まれている情報に基づいて、前記制御チャネルのリソースを確定する。
【００７２】
本実施方式では、基地局は、物理ブロードキャストチャネルにより制御チャネルのリソースを指示し、第二確定ユニット5012は、物理ブロードキャストチャネルの指示に基づいて、該制御チャネルのリソースを確定することができ、これにより、検出ユニット502は、物理ブロードキャストチャネルが指示した制御チャネルのリソース上で該制御チャネルを検出することができる。
【００７３】
そのうち、該物理ブロードキャストチャネルは、上述の制御チャネルのリソース構成情報及び／又は前記制御チャネルの再送回数、及び／又は、前記制御チャネルによりスケジューリングされるデータチャネルの再送回数を含んでも良い。これにより、確定ユニット501は、該リソース構成情報に基づいて制御チャネルのリソースを確定することができ、検出ユニット502は、該制御チャネルの再送回数に基づいて上述の制御チャネルを検出して受信し、及び／又は、該データチャネルの再送回数に基づいて上述のデータチャネルを検出して受信することができ。これにより、エネルギーの累積により、復調の正確性を向上させ、遅延を減少させることができる。
【００７４】
そのうち、該物理ブロードキャストチャネルは、さらに、上述の制御チャネルのリソースの時間領域及び周波数領域上での位置、及び／又は、上述の制御チャネルのリソースの伝送起点位置及び再送回数、及び／又は、上述の制御チャネルのリソースの周波数領域位置及び再送回数を含んでも良い。
【００７５】
他の実施方式では、図5に示すように、確定ユニット501は、取得ユニット5013及び第三確定ユニット5014を含んでも良く、そのうち、取得ユニット5013は、前記端末装置においてランダムアクセス過程で基地局から上述の制御チャネルのリソース指示情報を得ることができ、第三確定ユニット5014は、上述のリソース指示情報に基づいて、上述の制御チャネルのリソースを確定することができる。
【００７６】
本実施方式では、基地局は、ランダムアクセス過程におけるメッセージにより制御チャネルのリソースを指示し、例えば、RARメッセージ又はMessage  4メッセージであり、これにより、取得ユニット5013及び第三確定ユニット5014は、該メッセージのうちから上述の制御チャネルのリソースを得ることができ、検出ユニット502は、該メッセージが指示した制御チャネルのリソース上で該制御チャネルを検出することができる。
【００７７】
そのうち、該リソース指示情報は、前記制御チャネルのリソースを含んでも良く、オプションとして、さらに、前記制御チャネルの伝送方式、例えば、前記制御チャネルの再送回数などを含んでも良い。
【００７８】
本実施例における装置により、狭帯域ユーザは、広帯域キャリア上で有効にワーキングすることができ、また、受信による消費電力の節約の目的を達成することもできる。
【実施例４】
【００７９】
本発明の実施例は、制御チャネルの伝送装置を提供し、該装置は、基地局に応用することができ、該装置が問題を解決する原理は、実施例2の方法に類似したので、その具体的な実施は、実施例2の方法の実施を参照することができ、内容が同じ重複説明は、省略される。
【００８０】
図6は、該装置の構成図である。図6に示すように、該制御チャネルの伝送装置600は、第一送信ユニット601及び指示ユニット602を含む。
【００８１】
本実施例では、該第一送信ユニット601は、制御チャネルのリソース上で前記制御チャネルを送信することができる。ここでの制御チャネルは、共通サーチスペースの制御チャネルであっても良く、ユーザ固有サーチスペースの制御チャネルであっても良い。
【００８２】
本実施例では、該指示ユニット602は、端末装置に前記制御チャネルのリソースを指示し、これにより、前記端末装置は、前記制御チャネルのリソース上で前記制御チャネルを検出することができる。
【００８３】
１つ実施方式では、上述の制御チャネルのリソースは、端末装置及び基地局が予め約束したものであり、指示ユニット602は、次のようなものを含む。
【００８４】
第一指示ユニット6021：前記基地局及び端末装置の約束に基づいて、前記端末装置に前記制御チャネルのリソースを指示する。
【００８５】
そのうち、該基地局は、さらに、物理ブロードキャストチャネルにより、該制御チャネルの伝送方式及び／又はリソース分割を指示することができ、該装置600は、さらに、次のようなものを含む。
【００８６】
第二送信ユニット603：前記制御チャネルの伝送方式及び／又はリソース分割の指示情報を物理ブロードキャストチャネルにより送信し、これにより、柔軟性を向上させることができる。
【００８７】
他の実施方式では、上述の制御チャネルのリソースは、物理ブロードキャストチャネルにより指示され、指示ユニット602は、次のようなものを含む。
【００８８】
第二指示ユニット6022：物理ブロードキャストチャネルに含まれる情報により、前記制御チャネルのリソースを指示する。
【００８９】
そのうち、該物理ブロードキャストチャネルには、上述の制御チャネルのリソース構成情報及び／又は上述の制御チャネルの再送回数、及び／又は、上述の制御チャネルによりスケジューリングされるデータチャネルの再送回数を含み、これにより、端末装置は、前記リソース構成情報に基づいて制御チャネルのリソースを確定し、前記制御チャネルの再送回数に基づいて前記制御チャネルを検出して受信し、及び／又は、前記データチャネルの再送回数に基づいて前記データチャネルを検出して受信することができる。
【００９０】
そのうち、該物理ブロードキャストチャネルに含まれる情報は、さらに、前記制御チャネルのリソースの時間領域及び周波数領域上での位置、及び／又は、前記制御チャネルのリソースの伝送起点位置及び再送回数、及び／又は、前記制御チャネルのリソースの周波数領域位置及び再送回数を含んでも良い。
【００９１】
他の実施方式では、上述の制御チャネルのリソースは、ランダムアクセス過程におけるメッセージにより指示され、指示ユニット602は、次のようなものを含む。
【００９２】
第三指示ユニット6023：ランダムアクセス過程におけるメッセージに含まれるリソース指示情報により、前記端末装置に前記制御チャネルのリソースを指示する。そのうち、上述のランダムアクセス過程におけるメッセージは、RARメッセージであっても良く、Message  4メッセージであっても良い。
【００９３】
そのうち、上述のリソース指示情報は、上述の制御チャネルのリソースを含んでも良く、オプションとして、さらに、上述の制御チャネルの伝送方式、例えば、再送回数などを含んでも良い。
【００９４】
本実施例では、第一送信ユニット601は、クロスサブフレームスケジューリング及びシングルサブフレームスケジューリングを用いて前記制御チャネルに対して複数回の再送を行うことができる。
【００９５】
本実施例における装置により、狭帯域ユーザが広帯域キャリア上で有効にワーキングするようにさせることができ、また、受信による消費電力の節約の目的を達成することもできる。
【実施例５】
【００９６】
本発明の実施例は、さらに、端末装置を提供し、そのうち、該端末装置は、実施例3に記載の制御チャネルの受信装置を含む。
【００９７】
図7は、本発明の実施例における端末装置の構成図である。図7に示すように、該端末装置700は、中央処理装置701及び記憶器702を含んでも良い。記憶器702は、中央処理装置701に接続される。なお、該図は例示に過ぎず、さらに他の類型の構造を以て該結構に対して補充又は代替を行うことにより、電気通信機能又は他の機能を実現することもできる。
【００９８】
１つ実施方式では、制御チャネルの受信装置の機能は、中央処理装置701に統合し、中央処理装置701により、実施例3に記載の制御チャネルの受信装置の機能を実現することができ、そのうち、制御チャネルの受信装置に関する機能は、ここに合併され、ここでは、その詳しい説明を省略する。
【００９９】
他の実施方式では、制御チャネルの受信装置は、中央処理装置701と独立して構成されても良く、例えば、制御チャネルの受信装置を、中央処理装置701に接続されるチップとして構成し、中央処理装置701の制御により制御チャネルの受信装置の機能を実現することもできる。
【０１００】
図7に示すように、該端末装置700は、さらに、通信モジュール703、入力ユニット704、音声処理ユニット705、表示器706、電源707を含んでも良い。なお、端末装置700は、必ずしも図7中のすべての部品を含む必要がない。また、端末装置700は、さらに、図7に示されていない部品を含んでも良く、これについては、従来技術を参照することができる。
【０１０１】
図7に示すように、中央処理装置701は、制御器又は操作コントローラと称される場合があり、マイクロプロセッサ又は他の処理装置及び／又は論理装置を含んでも良く、該中央処理装置701は、入力を受信し、端末装置700の各部品の操作を制御することができる。
【０１０２】
そのうち、記憶器702は、例えば、バッファ、フレッシュメモリ、ＨＤＤ、移動可能な媒体、揮発性記憶器、不揮発性記憶器又は他の適切な装置のうちの１つ又は複数であっても良い。上述の構成に関する情報を記憶することができ、さらに情報処理用のプログラムを記憶することもできる。また、中央処理装置701は、該記憶器702に記憶されている該プログラムを、情報の記憶又は処理などを実現するために実行することもできる。なお、他の部品の機能は、従来に類似したので、ここでは、詳しい説明を省略する。また、端末装置700の各部品は、専用ハードウェア、ファームウェア、ソフトウェア又はその組み合わせにより実現することもできるが、これらは、すべて、本発明の範囲に属する。
【０１０３】
本実施例における端末装置により、狭帯域ユーザは、広帯域キャリア上で有効にワーキングすることができ、また、受信による消費電力の低減の目的を達成することもできる。
【実施例６】
【０１０４】
本発明の実施例は、さらに、基地局を提供し、そのうち、該基地局は、実施例4に記載の制御チャネルの伝送装置を含む。
【０１０５】
図8は、本発明の実施例における基地局の構成図である。図8に示すように、基地局800は、中央処理装置（CPU）801及び記憶器802を含んでも良く、記憶器802は、中央処理装置801に接続される。そのうち、該記憶器802は、各種データを記憶することができ、さらに、情報処理用のプログラムを記憶することもでき、また、中央処理装置801の制御下で該プログラムを実行することにより、端末装置が送信した各種情報を受信し、端末装置に各種情報を送信することができる。
【０１０６】
１つの実施方式では、制御チャネルの伝送装置の機能は、中央処理装置801に統合し、中央処理装置801により実施例4に記載の制御チャネルの伝送装置の機能を実現することができ、そのうち、制御チャネルの伝送装置に関する機能は、ここに合併され、ここでは、その詳しい説明を省略する。
【０１０７】
他の実施方式では、制御チャネルの伝送装置は、中央処理装置801と別々で構成されても良く、例えば、制御チャネルの伝送装置を、中央処理装置801に接続されるチップとして構成し、中央処理装置801の制御により制御チャネルの伝送装置の機能を実現しても良い。
【０１０８】
また、図8に示すように、基地局800は、さらに、送受信機803及びアンテナ804などを含んでも良く、そのうち、これらの部品の機能は、従来技術に類似したため、ここでは、その詳しい説明を省略する。なお、基地局800は、必ずしも図8中のすべての部品を含む必要がない。また、基地局800は、さらに、図8に示されていない部品を含んでも良く、これについては、従来技術を参照することができる。
【０１０９】
本実施例における基地局により、狭帯域ユーザが広帯域キャリア上で有効にワーキングするようにさせることができ、また、受信による消費電力の節約の目的を達成することもできる。
【実施例７】
【０１１０】
本発明の実施例は、さらに、通信システムを提供する。図9は、該通信システムのトポロジー構成図である。図9に示すように、該通信システム900は、端末装置901及び基地局902を含む。
【０１１１】
そのうち、該基地局902は、次のように構成され、即ち、制御チャネルのリソース上で前記制御チャネルを送信し、また、端末装置901に前記制御チャネルのリソースを指示する。
【０１１２】
そのうち、端末装置901は、次のように構成され、即ち、制御チャネルのリソースを確定し、また、確定した前記制御チャネルのリソース上で前記制御チャネルを検出する。
【０１１３】
本実施例では、該端末装置901は、実施例1に記載の制御チャネルの受信方法を用いることができ、即ち、実施例3に記載の制御チャネルの受信装置の機能を実現することができ、実施例1及び実施例3の内容は、ここに合併され、ここでは、その詳しい説明を省略する。
【０１１４】
本実施例では、該基地局902は、実施例2に記載の制御チャネルの伝送方法を用いることができ、即ち、実施例4に記載の制御チャネルの伝送装置の機能を実現することができ、実施例2及び実施例4の内容は、ここに合併され、ここでは、その詳しい説明を省略する。
【０１１５】
本実施例における通信システムにより、狭帯域ユーザは、広帯域キャリア上で有効にワーキングすることができ、また、受信による消費電力の節約の目的を達成することもできる。
【０１１６】
本発明の実施例は、さらに、コンピュータ可読プログラムを提供し、そのうち、制御チャネルの受信装置又は端末装置中で前記プログラムを実行する時に、前記プログラムは、コンピュータに、前記制御チャネルの受信装置又は端末装置中で実施例1に記載の制御チャネルの受信方法を実行させる。
【０１１７】
本発明の実施例は、さらに、コンピュータ可読プログラムを記憶した記憶媒体を提供し、そのうち、前記コンピュータ可読プログラムは、コンピュータに、制御チャネルの受信装置又は端末装置中で実施例1に記載の制御チャネルの受信方法を実行させる。
【０１１８】
本発明の実施例は、さらに、コンピュータ可読プログラムを提供し、そのうち、制御チャネルの伝送装置又は基地局中で前記プログラムを実行する時に、前記プログラムは、コンピュータに、前記制御チャネルの伝送装置又は基地局中で実施例2に記載の制御チャネルの伝送方法を実行させる。
【０１１９】
本発明の実施例は、さらに、コンピュータ可読プログラムを記憶した記憶媒体を提供し、そのうち、前記コンピュータ可読プログラムは、コンピュータに、制御チャネルの伝送装置又は基地局中で実施例2に記載の制御チャネルの伝送方法を実行させる。
【０１２０】
本発明の上述の装置及び方法は、ハードウェアにより実現されても良く、ハードウェアとソフトウェアとの組み合わせにより実現されても良い。本発明は、このようなコンピュータ可読プログラムに関し、該プログラムは、論理部品により実行される時に、該論理部品に、上述の装置又は構成部品を実現させることができ、又は、該論理部品に、上述の各種方法又はステップを実現させることができる。本発明は、さらに、上述のプログラムを記憶した記憶媒体、例えば、ハードディスク、磁気ディスク、光ディスク、DVD、flashメモリなどにも関する。
【０１２１】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2017535222.tif 000006
【図２】
2017535222.tif 000007
【図３】
2017535222.tif 000008
【図４】
2017535222.tif 000009
【図５】
2017535222.tif 000010
【図６】
2017535222.tif 000011
【図７】
2017535222.tif 000012
【図８】
2017535222.tif 000013
【図９】
2017535222.tif 000014
【国際調査報告】
2017535222.tif 000015
2017535222.tif 000016
2017535222.tif 000017
2017535222.tif 000018